(57)【要約】【目的】重量貨物等を吊り揚げるとき、吊り揚げワイヤー等の先端側に設ける「台つけ」ワイヤーロープの輪締め作業は手数を要している。そこでこの「台つけ」ワイヤーローアの輪形繋留および輪締め作業を簡単にしかも円滑に行うことができ、かつ重量貨物を安定して保持させ落下等の事故のないワイヤーロープ引き締め具を提供しようとするものである。【構成】両側壁の内側に、一方方向に積極的に回転させ、かつ外周辺に突出した歯部を形成した爪歯車と、この爪歯車の周辺の一部に、歯部とワイヤーロープを挟持するように配置した固定摺動座と、該固定摺動座のワイヤーロープ導入側に固定配置した把持座と、該把持座の把持部に対応してワイヤーロープを挟持するＬ字形可動腕を枢支し、この可動腕は両側壁間内に爪歯車を挟んで摺動可能にした吊り杆の後端側に枢支して構成し、この爪歯車は操作ハンドルでクラッチを介して駆動するように構成したものである。【選択図】　図２
2004123374.tif 000002
【特許請求の範囲】
【請求項１】
荷物の外周を束ねるようにして吊り揚げるための開放型吊り揚げワイヤーロープの引き締め具であって、該引き締め具は、両側壁の内側に、一方方向に積極的に回転させ且つその外周辺に突出させた爪歯部を形成した爪歯車と、該爪歯車の周辺の一部に、爪歯車の爪歯部とワイヤーロープを挟持するように固定配置した固定摺動座と、該摺動座のワイヤーロープ導入側に、固定配置したワイヤーロープ把持座と、該把持座の把持面に対応して、ワイヤーロープを挟持するＬ字型可動桿を枢支し、該可動桿は両側壁内に爪歯車を挟んで摺動自在に配置した吊り杆の端部に枢支して構成したことを特徴とするワイヤーロープ引き締め具。
【発明の詳細な説明】
【０００１】
【産業上の利用分野】
土建業者、造園業者、木材取り扱い業者、または荷役業者の間で広く利用されるもので、特に吊り揚げ装置によって重量荷物を吊り揚げるとき、落下を防止し、しかも吊り揚げワイヤーロープの取り扱いを容易にしたものである。
【０００２】
【従来の技術】
土建業者や造園業者または材木取り扱い業者間では、重量物を移動し或いは搬送するに際して吊り揚げ作業を行うことがある。この吊り揚げ作業を行うにあたっては、重量物を束ねるように配置したり或いは重量物の底面や周面を囲むようにした比較的短いワイヤーロープが利用されている。一般にこのようなワイヤーロープを業者間では「台つけ」と称している。またこのような「台つけ」は鎖やチエーン或いはロープ、ワイヤーロープが利用されているが、土木業者や造園業者間ではワイヤーロープが広く利用されている。
【０００３】
ところでこのような「台つけ」では、その一端側を重量物の底面や周面の一部を取り囲むために開放された開放型となっている。またこの「台つけ」は吊り揚げる際に輪形に係留結束すると共にこの輪形を絞って吊り揚げ操作距離を短くしかつ確実に結束しておく必要がある、ところで比較的細いロープの「台つけ」では容易であるが、ワイヤーロープの「台つけ」では取り扱い操作が困難である。
【０００４】
【発明が解決しようとする課題】
そこで本発明は、ワイヤーロープの「台つけ」を簡単な装置で輪型に係留できると共に輪絞り作業も容易にできるようなワイヤーロープ締め付け具を提供して重量荷物の吊り揚げ作業を効率化させ、かつ落下を防止して安全に吊り揚げ作業ができるようにしたものである。
【０００５】
【課題を解決するための手段】
両側壁の内側に、一方方向に積極的に回転させ且つその外周辺に突出させた爪部を形成した爪歯車と、この爪歯車の歯部とワイヤーロープを挟持するように固定配置した固定摺動座と、該摺動座のワイヤーロープ導入側に固定配置したワイヤーロープ把持座と、該把持座の把持面に対応してワイヤーロープを把持するＬ型可動杆を枢支し、該可動杆は両側壁内に爪歯車を挟んで摺動自在に配置した吊り杆の端部に枢支して構成したものである。
【０００６】
【実施例】
以下図面に基づいて本発明を詳細に説明するが、図は本発明の具体的な実施の一例を示したもので、本発明は図示例に限定されず以下説明する趣旨に沿って一部の構成を変更したり、或いは一部の設計や形状を変更しても同様に実施することができる。
【０００７】
図１（説明見取図）は本発明を利用した「台つけ」の一例を示したもので、「台つけ」に利用するワイヤーロープ２としては、直径約９〜２４ｍｍを用いている。そしてその一部には吊り揚げ具３を取り付け、この吊り揚げ具３はワイヤーロープ２を強固に挟持ようになっており、図示のようにワイヤーロープ２の端側であることが望ましい。吊り揚げ具３の取り付けによって「台つけ」のワイヤーロープ２は、固定側２ａと取り囲み側２ｂに区分される。そして固定側２ａの端部には図２（図１の一部拡大図）に示すように輪部２ａａを形成する。そしてこの輪部２ａａにシャックル２ｃを介して本発明ワイヤーロープ引き締め具１を接続するものである。なお必要によっては本発明引き締め具１の後述する吊り杆９を直接輪部２ａａに着脱するように構成してもよい。
【０００８】
そして本発明ワイヤーロープ引き締め具１は、操作ハンドル８を矢印Ａ方向に扇動を繰り返すことによって、爪歯車６を矢印Ａａ方向に回転させ、導入した「台つけ」ワイヤーの取り囲み側２ｂ端側を固定摺動座と爪歯車で挟持しながら矢印Ｂ方向に送り、「台つけ」の繋留と輪締めを簡単に行うことができるようにしたものである。
【０００９】
以下本発明ワイヤーロープ引き締め具１について詳細に説明する。図３（側面図）、図４（平面図）および図５（底面図）は、それぞれ図３の上面側、および下面側を示したものであり、図６（側面図）および図７（側面図）はそれぞれ図３の左側および右側を示したものである。また図８（断面図）は図４に示した切断線Ｃ−Ｃに沿う矢印方向を示したものである。
【００１０】
これらの図において、本発明ワイヤーロープ引き締め具１は比較的厚板の側壁４，５で外枠が構成される。そしてこの側壁４，５にはそれぞれ対応させて外側に突出した溝４ａ，５ａを形成する。そしてこれらの溝４ａおよび５ａは側壁の前後方向に開口しており、後述する吊り杆９の移動案内溝となるものである。またこれらの側壁４，５の間隔は後述する固定摺動座１０や把持座１１の取り付けによって強固に枠組が形成され、取り付け部材を位置保持させるが、全体を強固にすめため間隔保持スタッド４ａａ（図５）および５ａａ（図４）を設けている。なおこれらのスタッドは丸棒で構成したものを示したが適当な形のものであってもよい。
【００１１】
一方爪歯車６は両側壁４，５の間隙の中心部に配設され、その支持は両側壁の外側にそれぞれ取り付けた軸受け部７，７ａに遊支した駆動軸に不回転に設けられている。そしてこの駆動軸は軸受け部７側に長く突出させており、この突出部には、一方向回転クラッチ装置を内装したドラムを遊支し、このドラムの外周の一部に操作ハンドル８の柄部を植設している。
【００１２】
他方爪歯車６は図８に示すように、その外周線を三分割して外周方向に突出させた歯部６ａを形成し、これらの歯部６ａは同じ形で形成される。そして歯部の外周面は中央部（軸方向）を順次低くした凹周面６ａａとし、図示したように鋸歯状であることが好ましい。なお凹周面はワイヤーロープを正しく中央で把持送りするために好ましいものであるが、導入側に特別な案内部材を配置するときは円周方向に添った面であてもよい。また周面６ａａは鋸歯状に限定されず、ルーレット状等適当に選択できる。そして各歯部６ａの側面中央部には、駆動軸の芯から放射状の中心線６ｂをそれぞれ記す。他方側壁の一方若しく両方の頂面側には、この中心線６ｂと合致する印６ｃ，６ｃを示し、図８に示すようにそれぞれ一致させたとき図示の関係位置を保持するようにしている。
【００１３】
他方この爪歯車６ａに対向させて、図８に示すような固定摺動座１０を配設する。この摺動座１０は爪歯車６の外周円線Ｄと３〜４ｍｍの間隔をもって平行に形成した挟持面部１０ａと、外周円線Ｄと次第に間隔を拡大させた導入案内面部１０ｂを連続させて形成し、図示するように位置させて側壁４，５に固設する。そしてこの固定摺動座１０の爪歯車対応面は滑面とするが、必要によっては対応面部のみ、或いは摺動座全体を硬質合成樹脂材で形成して構成してもよい。また挟持面部１０ａと導入案内面部１０ｂとの接続部分は図１１（図８の一部拡大図）に示すように歯部６ａの移動方向先端部との間隙１８をワイヤーロープの直径とほぼ同様の寸法とする。また固定摺動座１０ａの上端側と歯部６ａの後端部との間隙１８ａも同様にワイヤーロープの直径にほぼ同様の寸法間隙とする。
【００１４】
一方この固定周動座１０のワイヤーロープ導入側には、把持座１１を固定周動座１０と同じように側壁４，５に取り付ける。そしてこの把持座１１の上面側は前記爪歯車６の歯部６ａの外周面と同様な歯状凹面とし、固定摺動座１０の導入側高さ位置とほぼ一致するように固設する。他方この把持座１１の上部側には、把持座１１の上面と同様な歯面を形成した当接部１２ａを構成したＬ字形の可動腕１２を配置し、この可動腕１２は図示のようにＬ字曲がり部の上部近くに枢支した軸１３に遊支されて、その当接部１２ａを把持座１１の上部に対応させるように位置保持している。そしてこの軸１３は、その両端側がそれぞれ側壁４，５に固定支持されている。また該当接部１２ａの裏側（図面では上部側）には、この当接部１２ａを把持座１１側に加圧させるためのコイルばね１５を配置し、このばね１５は両側壁４，５の間にそれぞれ両端側を取り付けるように配置した梁部材１５ａに、その一端側が支持され、他端側は当接部１２ａの裏側に形成した凹部によって支持されている。そしてこのＬ字形可動腕１２の上部側は突出させた操作杆部１４を形成しており、かつ前記した軸１３の上部には軸１７を配置している。
【００１５】
他方図示した９は吊り杆であって、この吊り杆９は図示のように先端側（図８で左側）に繋留部を形成し、枠組挿入部分は左右に分かれた直杆部９ａ，９ｂとし、この直杆部はそれぞれ側壁４，５に形成した前記溝５ｂ，４ｂに摺動自在でかつ僅かの傾動を許すように遊挿されている。即ち図８に示すように、吊り杆９はその直杆部９ａ，９ｂの固定周動座１０の裏側対応部分に長軸孔９ａａ，９ａａ（一方は図示せず）を形成し、この長孔には、両側壁４，５の溝部４ａ，５ａを貫通支持させた支軸１６を通している。従って吊り杆９はこの長軸孔９ａａの長径寸法の範囲で摺動移動ができる。また直杆部９ａ，９ｂの後端側は、前記Ｌ字形可動腕１２を貫通して設けた軸１７にそれぞれ遊支されている。なおこの軸１７としては、可動腕１２に支着して両端突出部にそれぞれ直杆部をそれぞれ遊支したり或いは、これらにすべてを遊支するように挿通配置してもよい。
【００１６】
このように構成する本発明引き締め具１では、吊り杆９が荷重によって引き出されて（図面で左方向）いるかぎり、軸１７を介して可動腕杆１２を、枢軸１３を芯として反時計方向に傾動しようとし、その当接部１２ａを把持座１１に加勢加圧する。この加圧によって挟持したワイヤーロープを強固に把持する。また前記ハンドル８は、図３で示す側壁４，５の底辺面とほぼ平行な位置において係留されるようになっており、その状態で爪歯車６を図８の状態に位置保持するようにしている。そしてハンドル８は図２で示したように時計方向矢印Ａに回転移動させることによって、その回転角度で爪歯車６を同一方向に回転させる。そして回転した爪歯車６は、軸受け部７ａに設けた逆転阻止クラッチによって保留される。またハンドル８としては、手を放したとき自動的に係留位置に復帰するように構成してもよい。即ちハンドル８を回す角度だけ爪歯車６を時計方向に回転させるものである。
【００１７】
他方爪歯車６としては、図示のように周縁を三等分してそれぞれ突出させて構成しているため、ワイヤーロープを確実に把持することができると同時に確実に送ることができる。またハンドルを操作してワイヤーロープを引き込むときは、「台つけ」の取り囲み側ワイヤー２ｂの緊張を一時的に緩ませる格好となり、吊り杆９をばね１５に抗して可動腕１２を時計方向に傾動して固定座１１上に挟持しているワイヤーロープの挟持圧を緩和することになる。そのときワイヤーロープは爪歯車６と固定摺動座１０で挟持されている。よってハンドルの扇回駆動を繰り返すことによってワイヤーロープの開放端側を順次引き入れ輪締めを行うことができる。なお図示しなかったてが爪歯車６の逆転阻止用クラッチ７ａ側には阻止用爪片を一時的に開放操作するようなレバーを設けて爪歯車の逆転を許すような手段を設けてもよい。
【００１８】
このように構成した本ワイヤーロープ引き締め具では、図９（図８の作動説明図）に示すように操作杆１４を矢印方向に傾けるか或いは吊り杆９を矢印方向に強制移動させて、把持座１１上の挟持間隙を空け、爪歯車６はその歯部の前記印６ｂを側壁の印６ｃと合致させた状態で、摺動座１０と前記した間隙１８，１８ａを保持しているので、ワイヤーロープ２ｂを通すことができる。次いで図１０（図９の作動説明図）に示すように、ハンドル８を時計方向に回動させることによってその回転角度分長さのワイヤーロープ２ｂを矢印方向に送る。また図１０の状態においては、ロープ２ｂは固定摺動座１０と爪歯車の歯部６ａの間で強固に支持されているため戻ることはない。またこの状態でハンドル８から手を放したときは、吊り杆９が図１０で示す矢印方向に引っ張られ、Ｌ字形の可動腕１２を反時計方向に傾けてワイヤーロープ２ｂを強固に保持する。
【００１９】
【発明の効果】
本発明引き締め具はこのように構成したから、「台つけ」ワイヤーロープの輪締め作業を簡単にしかも容易に行うことができる。また作業能率を飛躍的に向上させることができ、装置も簡単に構成されて故障が少なく、長期間に渡って利用することができる。更に「台つけ」ワイヤーロープの変形、損傷を防止して耐命数を延長することができ、吊り揚げる重量荷物の輪締め作用も円滑にできる。またこれによって荷物を安定的に保持することができ、落下させるような事故を未然に防止することができる。
【図面の簡単な説明】
【図　１】本発明を利用した「台つけ」の一例を示す説明見取図。
【図　２】図１の一部拡大図。
【図　３】本発明引き締め具の側面図。
【図　４】平面図。
【図　５】底面図。
【図　６】図３の右側面図。
【図　７】図３の左側面図。
【図　８】図３の切断線Ｃ−Ｃに沿う矢印方向断面図。
【図　９】図８の操作説明図。
【図１０】図９の作動説明図。
【図１１】図８の一部拡大説明図。
【符号の説明】
１　引き締め具
２　「台つけ」ワイヤーロープ
２ａ　固定側
２ａａ　ループ部
２ｂ　取り囲み側
２ｃ　シャックル
３　吊り揚げ具
４　側壁
４ａ　溝
５　側壁
５ａ　溝
６　爪歯車
７、７ａ　クラッチ
８　操作ハンドル
９　吊り杆
１０　固定摺動座
１１　把持座
１２　Ｌ字形可動腕
１２ａ　把持部
１３　枢軸
１４　操作杆
１５　コイルばね
１６　支軸
１７　軸
１８　間隙
【図１】
2004123374.tif 000003
【図２】
2004123374.tif 000004
【図３】
2004123374.tif 000005
【図４】
2004123374.tif 000006
【図５】
2004123374.tif 000007
【図６】
2004123374.tif 000008
【図７】
2004123374.tif 000009
【図８】
2004123374.tif 000010
【図９】
2004123374.tif 000011
【図１０】
2004123374.tif 000012
【図１１】
2004123374.tif 000013